(57)【要約】【課題】回転ドラムからガイド部を通して搬送される記録材料にジャム等のトラブルが発生したとき、トラブル発生位置を検出し的確な処理をすることでトラブルから容易に復帰できるようにした画像記録装置を提供する。【解決手段】この画像記録装置は、記録紙を画像記録のためにその外周面に巻き付けて保持する回転ドラム１０と、回転ドラムから送られた記録紙を排出方向に案内するガイド部１８と、回転ドラムから送られた記録紙をガイド部が移動することでアキュームするアキュームレータ部３０と、記録紙を検出するためにガイド部に設けた検出部７０と、を備える。【選択図】  図４
2004333899.tif 000002
【特許請求の範囲】
【請求項１】
シート状の記録材料を画像記録のためにその外周面に巻き付けて保持する回転ドラムと、
前記回転ドラムから送られた前記記録材料を排出方向に案内するガイド部と、
前記回転ドラムから送られた前記記録材料を前記ガイド部が移動することでアキュームするアキュームレータ部と、
前記記録材料を検出するために前記ガイド部に設けた検出部と、を備えることを特徴とする画像記録装置。
【請求項２】
シート状の記録材料を画像記録のためにその外周面に巻き付けて保持する回転ドラムと、
前記回転ドラムを回転駆動するためのパルスモータと、
前記回転ドラムに巻き付けられた記録材料の長さを記憶する記憶手段と、
前記回転ドラムから送られた前記記録材料を排出方向に案内するガイド部と、
前記回転ドラムから送られた前記記録材料を前記ガイド部が移動することでアキュームするアキュームレータ部と、
前記記録材料を検出するために前記ガイド部に設けた検出部と、を備え、
前記回転ドラムから前記ガイド部に送られた記録材料の長さを前記パルスモータに対するパルス信号または前記パルスモータの動作時間に基づいて算出し、
前記算出した前記アキュームレータ部に送られた記録材料の長さと前記記憶手段に記憶した前記回転ドラムに巻き付けられた記録材料の長さとを比較し、前記回転ドラム上の記録材料の長さを求めることを特徴とする画像記録装置。
【請求項３】
前記回転ドラムの下方に設けられ不要の前記記録材料を収納する第１の収納部と、
前記アキュームレータ部の下方に設けられ不要の前記記録材料を収納する第２の収納部と、を備え、
前記排出される記録材料が前記検出部で検出できないときにトラブルが発生したと判断し、前記記録材料の搬送を中止し、前記求めた回転ドラム上の記録材料の長さに基づいて前記第１の収納部及び前記第２の収納部のどちらに前記トラブルの発生した記録材料を収納するかを決定し、前記決定した前記第１または第２の収納部の収納位置まで前記回転ドラムを回転させて前記記録紙を収納するように構成したことを特徴とする請求項２に記載の画像記録装置。
【請求項４】
前記記録材料が前記回転ドラムに吸引により保持され吸引を止めることで保持が解除されることを特徴とする請求項１，２または３に記載の画像記録装置。
【請求項５】
前記検出部を透過型の光センサから構成することを特徴とする請求項１乃至４のいずれか１項に記載の画像記録装置。
【請求項６】
前記検出部の検出結果に基づいて判断したトラブルについてその状態及びその対処方法の少なくとも一方を表示する表示部を備えることを特徴とする請求項１乃至５のいずれか１項に記載の画像記録装置。
【発明の詳細な説明】
【０００１】
【発明の属する技術分野】
本発明は、シート状の記録材料を回転ドラムの外周面に巻き付け保持して画像記録を行う画像記録装置に関するものである。
【０００２】
【従来の技術】
記録紙をドラムの外周に巻き付けてから記録紙に光を照射して露光することで画像記録を行う画像記録装置が公知である（下記特許文献１参照）。露光後の記録紙をドラムから剥離してガイドを通して出口へと搬送し、また、いったんアキュームレート部にアキュームしてから出口に搬送するようにしていた。この場合、ドラムから剥離した記録紙を出口に搬送するまでの間に記録紙のジャム等のトラブルが発生したとき、記録紙の位置が分からず的確な処理の指示をすることができなかったためにジャム等のトラブルからの復帰に必要以上の時間が掛かっていた。また、ジャム等を発生した記録紙の処理についても的確な処理を指示することが出きなかったため、トラブルからの復帰に時間が掛かっていた。
【０００３】
【特許文献１】
特開２００２−１４４２８公報
【０００４】
【発明が解決しようとする課題】
本発明は、上記従来技術の問題に鑑み、回転ドラムからガイド部を通して搬送される記録材料にジャム等のトラブルが発生したとき、トラブル発生位置を検出し的確な処理をすることでトラブルから容易に復帰できるようにした画像記録装置を提供することを目的とする。
【０００５】
【課題を解決するための手段】
上記目的を達成するために、本発明による画像記録装置は、シート状の記録材料を画像記録のためにその外周面に巻き付けて保持する回転ドラムと、前記回転ドラムから送られた前記記録材料を排出方向に案内するガイド部と、前記回転ドラムから送られた前記記録材料を前記ガイド部が移動することでアキュームするアキュームレータ部と、前記記録材料を検出するために前記ガイド部に設けた検出部と、を備えることを特徴とする。
【０００６】
この画像記録装置によれば、回転ドラムからガイド部を通して排出方向に搬送する記録材料にジャム等のトラブルが発生したとき、ガイド部に設けた検出部による記録材料の検知結果に基づいてトラブル発生を判断できるので、ジャム等のトラブル位置の検出に基づいてジャム処理等の指示を的確にすることができ、トラブルから容易に復帰することができる。
【０００７】
本発明による別の画像記録装置は、シート状の記録材料を画像記録のためにその外周面に巻き付けて保持する回転ドラムと、前記回転ドラムを回転駆動するためのパルスモータと、前記回転ドラムに巻き付けられた記録材料の長さを記憶する記憶手段と、前記回転ドラムから送られた前記記録材料を排出方向に案内するガイド部と、前記回転ドラムから送られた前記記録材料を前記ガイド部が移動することでアキュームするアキュームレータ部と、前記記録材料を検出するために前記ガイド部に設けた検出部と、を備え、前記回転ドラムから前記ガイド部に送られた記録材料の長さを前記パルスモータに対するパルス信号または前記パルスモータの動作時間に基づいて算出し、前記算出した前記アキュームレータ部に送られた記録材料の長さと前記記憶手段に記憶した前記回転ドラムに巻き付けられた記録材料の長さとを比較し、前記回転ドラム上の記録材料の長さを求めることを特徴とする。
【０００８】
この画像記録装置によれば、ガイド部に設けた検出部による記録材料の検知結果に基づいてトラブル発生を判断したとき、回転ドラムを駆動するパルスモータに与えたパルス信号数やパルスモータの動作時間からガイド部に送られた記録紙の長さを算出し、この算出した記録紙の長さと記憶手段に記憶させた回転ドラムに巻き付けられた記録材料の長さとを比較し求めた回転ドラム上の記録材料の長さに基づいてジャム等を発生した記録材料についてジャム処理等を的確にすることができ、トラブルから容易に復帰することができる。
【０００９】
上記画像記録装置は、前記回転ドラムの下方に設けられ不要の前記記録材料を収納する第１の収納部と、前記アキュームレータ部の下方に設けられ不要の前記記録材料を収納する第２の収納部と、を備え、前記排出される記録材料が前記検出部で検出できないときにトラブルが発生したと判断し、前記記録材料の搬送を中止し、前記求めた回転ドラム上の記録材料の長さに基づいて前記第１の収納部及び前記第２の収納部のどちらに前記トラブルの発生した記録材料を収納するかを決定し、前記決定した前記第１または第２の収納部の収納位置まで前記回転ドラムを回転させて前記記録紙を収納するように構成できる。
【００１０】
上述の構成により、回転ドラム上の記録材料の長さに応じてより適切な第１または第２の収納部に効率的に収納することができる。また、アキュームレータ部の下方の第２の収納部に記録材料を収納する場合は、ガイド部が移動しアキュームレータ部を開放することで記録材料を収納する。
【００１１】
なお、回転ドラムは正方向及び逆方向に回転可能に構成されることが好ましく、回転ドラムを正方向または逆方向に回転させて適切な第１または第２の収納部に速く移動させることができる。
【００１２】
また、前記記録材料が前記回転ドラムに吸引により保持され吸引を止めることで保持が解除されるように構成することで、記録材料を収納位置に確実に運ぶことができ、収納位置で吸引を止めることで第１または第２の収納部に確実に収納できる。
【００１３】
また、前記検出部を透過型の光センサから構成することが好ましく、記録材料の位置自由度が大きい場合でも確実に検出できる。
【００１４】
また、前記検出部の検出結果に基づいて判断したトラブルについてその状態及びその対処方法の少なくとも一方を表示する表示部を備えることが好ましく、これにより、記録材料のジャム等のトラブル発生位置やトラブル処理の指示を表示部に表示できる。
【００１５】
【発明の実施の形態】
以下、本発明による実施の形態について図面を用いて説明する。図１は本実施の形態による画像記録装置全体の外観を示す斜視図である。図２は図１の画像記録装置の内部を正面側から見た図である。図３は図２の画像記録装置のドラム及び光学ユニットを上部から見た要部平面図である。
【００１６】
図１に示すように、画像記録装置１は、記録材料に露光し画像を形成する露光ユニット１１と、露光された記録材料を現像する現像ユニット２１と、を備える。露光ユニット１１は、前面からメンテナンスできるように開閉可能な前面パネル５と、各種情報の表示とタッチパネルからなり装置全体の操作のために入力可能な表示部２と、内部にロール状の記録材料である記録紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１７】
現像ユニット２１は、メンテナンスのために開閉可能な上面パネル６と、前面には、現像処理液等の補充等のために開閉可能に設けられた補給パネル７と、を備える。
【００１８】
図２に示すように、本実施の形態による画像記録装置１は、記録材料に露光し画像を形成する露光ユニット１１と、露光された記録材料を現像する現像ユニット２１と、を備える。露光ユニット１１は、内部にロール状に巻かれたシート状記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム１０上の記録紙を剥離する剥離部材１５と、を備える。露光後の記録紙は出口１９及び接続部１９ａを通して現像ユニット２１へと搬送される。
【００１９】
図２の画像記録装置１は、更に、搬送ローラ対４２の下流側に配置されドラム１０に向けて送られる記録紙の搬送に従い従動回転する従動ローラ３１と、記録紙をドラム１０との間で搬送する従動ローラ３１と、ドラム１０上から剥離部材１５で剥離された記録紙をドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためのアキュームレート部３０と、搬送ローラ対３２の下流側近傍に配置された記録紙の先端を検出する検出センサ３３と、を備える。
【００２０】
また、搬送ローラ対４２の下流側近傍に配置された比較的幅狭の従動ローラ４３は記録紙の移動とともに従動回転し、この従動ローラ４３と同軸にロータリエンコーダ５８（図５）が連結されている。このロータリエンコーダ５８が従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、記録紙の下流側への送り出し方向への回転が自在となっている。
【００２１】
図２の搬送ローラ対４０，４１の下流側近傍には記録紙を切断するカット部１０ａがそれぞれ配置されており、各カット部１０ａはモータ５９（図５）により回転駆動されるロータリカッタを有し、上述の記録紙の長さ測定に基づいて記録紙を所定長さに切断する。
【００２２】
また、図２のように、露光ユニット１１の底部にはアキュームレート部３０の下方に第１の収納部６１が配置され、回転ドラム１０の下方に第２の収納部６２が配置されおり、両収納部６１，６２は補強部材６３で仕切られている。第１及び第２の収納部６１，６２にはジャム等を発生した不要の記録紙を収納できるようになっている。
【００２３】
図２の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２４】
図３のように、画像記録装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２５】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて記録紙がドラム１０の表面に吸着される。
【００２６】
光学ユニット１６は、副走査部１７によりドラム軸と平行に移動可能に構成され、デジタル画像信号を受けてドラム１０に吸着された記録紙に光ビームで露光して画像の書き込みを行う。図４に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。各ＬＥＤユニット３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２７】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００２８】
図３に示すように、吸引ブロアＰ１は空気吸引ポンプにより吸引連結管５１を通してドラム１０内を吸引し、露光ユニット１１による露光開始前にドラム１０内を負圧にし記録紙を外周面に吸着する。また、記録紙をドラム１０の周囲に巻き付けて搬送するときに吸引ブロアＰ１を作動させ記録紙を吸引し、また吸引ブロアＰ１を止めてジャム等を発生した記録紙をドラム１０から離し落下させて収納部６１，６２に収納する。
【００２９】
次に、図２の画像記録装置１のアキュームレート部及びその近傍の搬送ローラ等について図４を参照して説明する。図４は図２の画像記録装置のアキュームレート部材及びその近傍を示す要部正面図である。
【００３０】
図４に示すように、上流側搬送ローラはドラム１０と従動ローラ３１とから構成され、ドラム１０はドラム駆動用パルスモータ５１（図５）から正方向Ｒ及び逆方向Ｒ’に回転駆動され、従動ローラ３１はドラム１０の回転により従動回転する。上流側搬送ローラの下流側に配置されたアキュームガイド部材１８は、上方にある下流側の搬送ローラ対３２に向けて傾斜しており、図４の実線のように固定ガイド板１８ａと回動ガイド板１８ｂとの間にガイド通路１８ｄを形成している。
【００３１】
回動ガイド板１８ｂは回動支持部材３５により図４の実線位置で支持される。即ち、回動支持部材３５が図４の破線位置から実線位置まで回動軸３５ａを中心に駆動用モータ５３（図５）で回動方向ａに回動することで、回動ガイド板１８ｂが回動軸１８ｅを中心に回動方向ｂに図の実線位置まで回動し、アキュームガイド部材１８が閉じられ、ガイド通路１８ｄが形成される。形成されたガイド通路１８ｄで記録紙をガイドしながら搬送可能となる。
【００３２】
また、回動支持部材３５が図４の実線位置から回動方向ａと反対方向ａ’に破線位置まで回動することで、回動ガイド板１８ｂが回動方向ｂと反対方向ｂ’に図４の破線位置まで回動し、アキュームガイド部材１８が開かれ、記録紙をアキュームできる空間を有するアキュームレート部３０が形成される。
【００３３】
図４のように、剥離部材１５は、回動軸１５ａを中心に駆動用モータ４９（図５）で回動されて爪部１５ｂがドラム１０の外周面に接近し、図４の実線位置の回動ガイド板１８ｂの端部１８ｃとにより搬送路３６を形成するとともに、ドラム１０と従動ローラ３１との間から搬送されてきた記録紙を爪部１５ｂでドラム１０から剥離し、搬送路３６及びアキュームガイド部材１８のガイド通路１８ｄへと搬送する。ガイド通路１８ｄから送られてきた記録紙は、駆動用モータ５２により駆動される下流側の搬送ローラ対３２で更に搬送される。
【００３４】
図４のように、下流側の搬送ローラ対３２の下流側近傍には、搬送ローラ対３２で搬送された記録紙を出口１９へと案内するガイド部材５４と、ガイド部材５４の下流側と出口１９との間に配置されたシャッタ板５５と、が設けられている。シャッタ板５５は、記録紙Ｓの先端を検出センサ３３で検出すると、モータ５７によるアーム５６の駆動で図４の上方向Ｖに持ち上げられることによりガイド部材５４の下流側を開き、また、逆に動作することで閉じる。
【００３５】
また、アキュームガイド部材１８には透過型の光センサから構成された検出センサ７０が配置されている。検出センサ７０は固定ガイド板１８ａ側に配置された発光素子７１と、回動ガイド板１８ｂ側に配置された受光素子７２とを備え、ガイド通路１８ｄを通る記録紙を検出する。なお、発光素子７１と受光素子７２は逆の位置に配置してもよい。
【００３６】
図５に図１の画像記録装置１の制御系のブロック図を示す。図５の画像記録装置１の制御部５０は、中央演算処理装置（ＣＰＵ）等から構成され、図２の従動ローラ３１に同軸に連結されたロータリエンコーダ５８により検出した従動ローラ３１の回転量やアキュームガイド部材１８に配置された検出センサ７０の記録紙の検出結果等に基づいて吸引ブロアＰ１，カット部１０ａのモータ５９，ドラム１０の駆動用パルスモータＭ６，剥離部材１５の駆動用モータ４９、アキュームガイド部材１８の駆動用モータ５３及び表示部２等を制御する。
【００３７】
図５の制御部５０は、ロータリエンコーダ５８により検出した従動ローラ３１の回転量に基づいて測定し回転ドラム１０に巻き付けた記録紙の長さを記憶し、検出センサ７０で記録紙のジャム等のトラブルを検出したとき、アキュームガイド部材１８のガイド通路１８ｄに搬送された記録紙の長さをドラム１０の駆動用パルスモータＭ６に対し送ったパルス信号数から算出し、上記記憶した長さと上記算出した長さとを比較し、回転ドラム１０上の記録紙の長さを求める。そして、この求めた記録紙の長さに基づいてジャム等を起こし不要となった記録紙を第１の収納部６１及び第２の収納部６２のどちらに収納するかを決める。また、表示部２に、トラブルが発生した位置やトラブルの内容等を表示する。
【００３８】
次に、図１乃至図５の画像記録装置１において検出センサでジャム等のトラブルを検出したときの動作について図６のフローチャートを参照して説明する。
【００３９】
まず、装填部１２または１２’からの記録紙を搬送ローラ対４０〜４２等で搬送し、従動ローラ４３を通り、回転ドラム１０へと搬送する（Ｓ０１）。そして、従動ローラ４３に連結されたロータリエンコーダ５８で記録紙の長さを求め、記録紙を所定長さにカット部１０ａで切断し、その所定長さの記録紙が回転ドラム１０に巻き付けられるが、この回転ドラム１０に巻き付けられた記録紙の長さを制御部５０が記憶する（Ｓ０２）。
【００４０】
次に、図３の吸引ブロアＰ１が作動し回転ドラム１０の内部を負圧にすることで回転ドラム１０に記録紙を吸引して保持する（Ｓ０３）。そして、光学ユニット１６から光ビームを回転中の回転ドラム１０上の記録紙に露光することで（Ｓ０４）、画像記録を行い、その後回転ドラム１０を回転させ図４の剥離部材１５で記録紙を回転ドラム１０から剥離し、搬送路３６を通してアキュームガイド部材１８のガイド通路１８ｄへと搬送する（Ｓ０５）。
【００４１】
上述のようにしてガイド通路１８ｄに送られた記録紙をアキュームガイド部材１８に設けられた検出センサ７０が所定時間を経過しても検出できない場合、記録紙が回転ドラム１０とガイド通路１８ｄとの間でジャム等のトラブルを発生したと判断し（Ｓ０６）、回転ドラム１０の回転を停止する。
【００４２】
そして、画像記録装置１の表示部２にトラブル発生位置とトラブルの内容を表示するとともに（Ｓ０７）、従動ローラ３１とドラム１０との間からガイド通路１８ｄに向けて送られた記録紙の長さをドラム駆動用のパルスモータＭ６に送信したパルス数から算出する（Ｓ０８）。
【００４３】
次に、ステップＳ０２で記憶された回転ドラム１０に巻き付けられた記録紙の長さと、ステップＳ０８で算出されたガイド通路１８ｄに向けて送られた記録紙の長さと、を比較し、前者の長さから後者の長さを引くことにより回転ドラム１０上の記録紙の長さを求める（Ｓ０９）。
【００４４】
次に、上述のようにして求めた回転ドラム１０上の記録紙の長さに基づいてジャムを発生した記録紙を第１の収納部６１に収納するか、第２の収納部６２に収納するかを判断する（Ｓ１０）。この判断は、例えば、回転ドラム１０上の記録紙の長さが記録紙の所定長さに比べて短いときは、ガイド通路１８ｄ側に多く送られたので第１の収納部６１に収納すると判断し、また回転ドラム１０上の記録紙の長さが記録紙の所定長さに比べて長いときは、回転ドラム１０側に多く残っているので第２の収納部６２に収納すると判断するようにして行われる。
【００４５】
上記判断の結果、第１の収納部６１に収納すると判断したときは、アキュームガイド部材１８の駆動用モータ５３を駆動し、回動ガイド板１８ｂを図４の回動方向ｂ’に回動させてアキューム部３０を形成する（Ｓ１１）。そして、回転ドラム１０を内部吸引している場合は、吸引ブロアＰ１の作動を停止させ（Ｓ１２）、記録紙の保持を止め、図２の破線のようにジャムを発生した記録紙Ｓ１を落下させ下方の第１の収納部６１に収納する（Ｓ１３）。
【００４６】
また、上記判断の結果、第２の収納部６１に収納すると判断したときは、回転ドラム１０を内部吸引した状態で回転ドラム１０を回転し（Ｓ１４）、ジャムを発生した記録紙が回転ドラム１０の下方に向いたら吸引ブロアＰ１の作動を停止させ（Ｓ１５）、記録紙の保持を止め、図２の破線のようにジャムを発生した記録紙Ｓ２を落下させ下方の第２の収納部６２に収納する（Ｓ１６）。なお、ステップＳ１４では、回転ドラム１０を正方向Ｒまたは逆方向Ｒ’に回転させて適切な収納位置に速く移動させるようにすることが好ましい。
【００４７】
以上のようにして、ジャムを発生した記録紙を回転ドラム１０上の記録紙の長さに基づいて第１の収納部６１に収納するか第２の収納部６２に収納するかを判断し、自重による落下で適切な収納位置である収納部６１または６２に自動的に収納することができる。
【００４８】
なお、上記ステップＳ０６で検出センサ７０がジャム等のトラブルを発生しないときは、記録紙を搬送ローラ対３２で更に出口１９へと搬送し（Ｓ１７）、現像ユニット２１に接続部１９ａから送り、記録紙の現像処理を行ってから（Ｓ１８）、排出部２８へと排出する（Ｓ１９）。
【００４９】
以上のようにして、図１乃至図５の画像記録装置によれば、アキュームガイド部材１８に設けた検出センサ７０による記録紙の検知結果に基づいてトラブル発生を判断したとき、アキュームガイド部材１８に送られた記録紙の長さを算出し、この算出した記録紙の長さと記憶させた回転ドラム１０に巻き付けられた記録材料の長さとを比較し、回転ドラム上の記録材料の長さを求め、この回転ドラム１０上の記録材料の長さに応じてより適切な収納位置にある第１または第２の収納部に効率的に収納できる。
【００５０】
また、記録紙が回転ドラム１０に吸引により保持され吸引を止めることで保持が解除されるので、記録紙を収納位置に確実に運ぶことができ、収納位置で吸引を止めることで第１または第２の収納部に確実に収納できる。
【００５１】
上述のように  記録紙にジャム等が発生した場合、的確な復帰処理ができ、また表示部２に精度の高い情報の提供や指示が可能となるので、ジャム等からの復帰時間の短い安定した画像記録装置を実現できる。
【００５２】
以上のように本発明を実施の形態により説明したが、本発明はこれらに限定されるものではなく、本発明の技術的思想の範囲内で各種の変形が可能である。例えば、ジャム等が発生したときにアキュームガイド部材１８に送られた記録紙の長さは、パルスモータＭ６の動作時間から算出するようにしてよい。また、アキュームガイド部材１８に配置した記録紙の検出センサは搬送方向に複数設けてもよい。
【００５３】
【発明の効果】
本発明によれば、回転ドラムからガイド部を通して搬送される記録材料にジャム等のトラブルが発生したとき、トラブル発生位置を検出し的確な処理をすることでトラブルから容易に復帰できるようにした画像記録装置を提供できる。
【図面の簡単な説明】
【図１】本実施の形態による画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図２の画像記録装置のアキュームレート部材及びその近傍を示す要部正面図である。
【図５】図１の画像記録装置１の制御系のブロック図である。
【図６】図１乃至図５の画像記録装置１において検出センサでジャム等のトラブルを検出したときの動作を説明するためのフローチャートである。
【符号の説明】
１・・・画像記録装置
２・・・表示部
１０・・・回転ドラム
１８・・・アキュームガイド部材（ガイド部）
１８ａ・・・固定ガイド板
１８ｂ・・・回動ガイド板
３０・・・アキュームレータ部
５０・・・制御部
６１・・・第１の収納部
６２・・・第２の収納部
７０・・・検出センサ
Ｍ６・・・回転ドラム駆動用パルスモータ
Ｐ１・・・吸引ブロア
Ｓ・・・記録紙
Ｒ・・・回転ドラム回転の正方向
Ｒ’・・・回転ドラム回転の逆方向
【図１】
2004333899.tif 000003
【図２】
2004333899.tif 000004
【図３】
2004333899.tif 000005
【図４】
2004333899.tif 000006
【図５】
2004333899.tif 000007
【図６】
2004333899.tif 000008